(57)【要約】【課題】  前進途中のトレイが障害物に接触したときに直ちにそのトレイを後進させる。【解決手段】  ケーシング２内に前後進ａ，ｂ可能に配置したディスクＤ載置用トレイ１の前面パネル１Ａがトレイ本体１Ｂから分離されると共に、該前面パネル１Ａがトレイ本体１Ｂの前板部１ａに前後進ａ，ｂ方向に沿って一定範囲内移動可能に係止され、その前面パネル１Ａを前進ａ側に付勢するコイルばね６が設けられ、前面パネル１Ａの後退ｂを検知する前面スイッチ７がトレイ本体１Ｂと前面パネル１Ａとの間に設けられており、トレイ１の前進ａ途中で前面パネル１Ａを介して前面スイッチ７がオン状態にされたときに、モータを逆転駆動してトレイ１を後進ｂさせる。【選択図】        図１
2008084365.tif 000002
【特許請求の範囲】
【請求項１】
ディスク載置用トレイがケーシング内に前後進可能に配置されており、該ケーシング内
のモータを正逆回転駆動することによりトレイをケーシングの前面開口部を通って前後進
させるようにしたディスク装置において、前記トレイの前面パネルがトレイ本体から分離
され、該前面パネルの後面両端近傍に左右一対のアームが突設されると共に、該各アーム
の端面に切れ目を入れることにより該切れ目を間に挟んで一対の弾性変位可能なアーム片
が切り残され、該両アーム片を互いに接近させて縮径させた各アームが前記トレイ本体の
前板部の挿通孔に前後進方向に沿って移動可能に挿通され、その各アームの端面に対向し
てトレイ本体に支持板が一体突設され、前記各アームと支持板との間にコイルばねが介在
され、そのコイルばねに抗して各アームが各挿通孔から抜けるのを阻止するストッパが各
アーム片の外周面に一体突設され、前記トレイ本体と前面パネルとの間に該前面パネルの
後退を検知する前面スイッチが設けられており、前記トレイをケーシング内に収納してい
る状態で前面パネルをコイルばねに抗して押すことにより前面スイッチをオン状態とし、
そのオン信号に基づいてモータを正転駆動することによりトレイを前進させ、その前進途
中で前面パネルを介して前面スイッチがオン状態にされたときに、モータを逆転駆動して
トレイを後進させるようにしたことを特徴とするディスク装置。
【請求項２】
ディスク載置用トレイがケーシング内に前後進可能に配置されており、該ケーシング内
のモータを正逆回転駆動することによりトレイをケーシングの前面開口部を通って前後進
させるようにしたディスク装置において、前記トレイの前面パネルがトレイ本体から分離
され、該前面パネルの後面両端近傍に左右一対のアームが突設されると共に、該各アーム
の端面に切れ目を入れることにより該切れ目を間に挟んで一対の弾性変位可能なアーム片
が切り残され、該両アーム片を互いに接近させて縮径させた各アームが前記トレイ本体の
前板部の挿通孔に前後進方向に沿って移動可能に挿通され、その各アームの端面に対向し
てトレイ本体に支持板が一体突設され、前記各アームの一方のアーム片に一体突設され先
端を前記支持板に当接させた弾性変位可能な弾性片が設けられ、各アームが各挿通孔から
抜けるのを阻止するストッパが各アーム片の外周面に一体突設され、前記トレイ本体と前
面パネルとの間に該前面パネルの後退を検知する前面スイッチが設けられており、前記ト
レイをケーシング内に収納している状態で前面パネルを弾性片に抗して押すことにより前
面スイッチをオン状態とし、そのオン信号に基づいてモータを正転駆動することによりト
レイを前進させ、その前進途中で前面パネルを介して前面スイッチがオン状態にされたと
きに、モータを逆転駆動してトレイを後進させるようにしたことを特徴とするディスク装
置。
【請求項３】
ディスク載置用トレイがケーシング内に前後進可能に配置されており、該ケーシング内
のモータを正逆回転駆動することによりトレイをケーシングの前面開口部を通って前後進
させるようにしたディスク装置において、前記トレイの前面パネルがトレイ本体から分離
され、該前面パネルの後面両端近傍に左右一対のアームが突設されると共に、該各アーム
の端面に切れ目を入れることにより該切れ目を間に挟んで一対の弾性変位可能なアーム片
が切り残され、該両アーム片を互いに接近させて縮径させた各アームが前記トレイ本体の
前板部の挿通孔に前後進方向に沿って移動可能に挿通され、その各アームの端面に対向し
てトレイ本体に支持板が一体突設され、前記各アームの一方のアーム片に一体突設され先
端を前記支持板に当接させた弾性変位可能な弾性片が設けられ、各アームが各挿通孔から
抜けるのを阻止するストッパが各アーム片の外周面に一体突設され、前記トレイ本体と前
面パネルとの間に設けられて該前面パネルの後退を検知する前面スイッチが押釦スイッチ
からなり、その押釦部が同心状に一体形成した大径部と小径部とを有し、該小径部に対向
して前面パネルにその小径部よりも若干大径の釦孔が貫設され、スイッチ本体をトレイ本
体に固定すると共に、小径部を前面パネルの釦孔に挿通してその前面パネルの後面に大径
部の端面を当接または接近させ、小径部の先端を前面パネルよりも前方に突出させており
、前記トレイをケーシング内に収納している状態で前面パネルを弾性片に抗して押すこと
により前面スイッチをオン状態とし、そのオン信号に基づいてモータを正転駆動すること
によりトレイを前進させ、その前進途中で前面パネルを介して前面スイッチがオン状態に
されたときに、モータを逆転駆動してトレイを後進させるようにしたことを特徴とするデ
ィスク装置。
【請求項４】
ディスク載置用トレイがケーシング内に前後進可能に配置されており、該ケーシング内
のモータを正逆回転駆動することによりトレイをケーシングの前面開口部を通って前後進
させるようにしたディスク装置において、前記トレイの前面パネルがトレイ本体から分離
されると共に、該前面パネルがトレイ本体の前板部に前後進方向に沿って一定範囲内移動
可能に係止され、その前面パネルを前進側に付勢する付勢手段が設けられ、前記トレイ本
体と前面パネルとの間に該前面パネルの後退を検知する前面スイッチが設けられており、
前記トレイをケーシング内に収納している状態で前面パネルを付勢手段に抗して押すこと
により前面スイッチをオン状態とし、そのオン信号に基づいてモータを正転駆動すること
によりトレイを前進させ、その前進途中で前面パネルを介して前面スイッチがオン状態に
されたときに、モータを逆転駆動してトレイを後進させるようにしたことを特徴とするデ
ィスク装置。
【請求項５】
前記前面パネルの後面両端近傍に左右一対のアームが突設されると共に、該各アームの
端面に切れ目を入れることにより該切れ目を間に挟んで一対の弾性変位可能なアーム片が
切り残され、該両アーム片を互いに接近させて縮径させた各アームが前記トレイ本体の前
板部の挿通孔に挿通され、その各アームの端面に対向してトレイ本体に支持板が一体突設
され、前記各アームと支持板との間に前記付勢手段としてコイルばねが介在され、そのコ
イルばねに抗して各アームが各挿通孔から抜けるのを阻止するストッパが前記各アーム片
の外周面に一体突設されていることを特徴とする請求項４に記載のディスク装置。
【請求項６】
前記前面パネルの後面両端近傍に左右一対のアームが突設されると共に、該各アームの
端面に切れ目を入れることにより該切れ目を間に挟んで一対の弾性変位可能なアーム片が
切り残され、該両アーム片を互いに接近させて縮径させた各アームが前記トレイ本体の前
板部の挿通孔に挿通され、その各アームの端面に対向してトレイ本体に支持板が一体突設
され、前記付勢手段が前記各アームの一方のアーム片に一体突設され先端を前記支持板に
当接させた弾性変位可能な弾性片からなり、前記各アームが各挿通孔から抜けるのを阻止
するストッパが前記各アーム片の外周面に一体突設されていることを特徴とする請求項４
に記載のディスク装置。
【請求項７】
前記前面スイッチが押釦スイッチからなり、その押釦部が同心状に一体形成した大径部
と小径部とを有し、該小径部に対向して前面パネルにその小径部よりも若干大径の釦孔が
貫設されており、スイッチ本体をトレイ本体に固定すると共に、小径部を前面パネルの釦
孔に挿通してその前面パネルの後面に大径部の端面を当接または接近させ、小径部の先端
を前面パネルよりも前方に突出させていることを特徴とする請求項４〜６のいずれかに記
載のディスク装置。
【発明の詳細な説明】
【技術分野】
【０００１】
本発明は、例えばＤＶＤレコーダやＤＶＤプレーヤなどのディスク装置に関し、特に、
前進途中のトレイが障害物に接触したときに直ちにそのトレイを後進させるようにしたも
のである。
【背景技術】
【０００２】
従来、ＤＶＤレコーダの一例として図７及び図８に示すものがある。図７（ａ）はＤＶ
Ｄレコーダの斜視図、図７（ｂ）は同平面図、図８はエジェクトモードにおける制御部の
制御を説明する流れ図である。
【０００３】
図７（ａ）（ｂ）に示すように、ディスクＤを載置するための合成樹脂製トレイ１がケ
ーシング２内に前後進ａ，ｂ可能に配置され、該トレイ１の前面パネル１Ａとトレイ本体
１Ｂとが一体成形され、そのトレイ１をケーシング２の前面開口部２ａを通って前後進ａ
，ｂさせるためのモータ（図示せず）が該ケーシング２内に設けられ、前面開口部２ａの
下部にエジェクトスイッチ３が設けられており、ケーシング２内の各機器はマイクロコン
ピュータからなる制御部（図示せず）により制御されている。
【０００４】
プレイモードでは、ディスクＤを載置したトレイ１をケーシング２内に収納している状
態で、該ディスクＤをターンテーブル（図示せず）により高速回転させ、光ピックアップ
（図示せず）によりディスクＤに記録されている情報を読み取って再生したり記録や消去
を行う。
【０００５】
図８に基づいてエジェクトモードにおける制御部の制御を説明すると、トレイ１をケー
シング２内に収納している状態で、ステップＳ１に示すように、エジェクトスイッチ３を
押してオン状態にすると、ステップＳ２に移行し、モータを正転駆動させてトレイ１を前
進ａさせ（ステップＳ３）、そのトレイ１の前進ａ途中で、図７（ｂ）に示すように、ト
レイ１の前面パネル１Ａが例えば障害物Ｇ１〜Ｇ３に接触して、該トレイ１の前進ａが阻
害されると、モータに過負荷がかかり、その過負荷の発生を逆起電圧（またはエンコーダ
、スイッチなど）によって確認することができる。そこで、ステップＳ４において、逆起
電圧から過負荷がかかっていないと判断した場合には、トレイ１が正常に前進ａしている
ので、ステップＳ５に移行し、トレイ１が最前進ａしたか否かを判断し、最前進ａしてい
ない場合には、ステップＳ２に戻って前記動作を繰り返し、トレイ１が最前進ａされたと
判断したときには、ステップＳ６に移行して、モータの正転駆動を停止させる。その後、
トレイ１上のディスクＤを取り出したり新たなディスクＤをトレイ１上に載置し、エジェ
クトスイッチ３を押すと、上記とは逆の手順でトレイ１が後進ｂしてケーシング２内に収
納される。
【０００６】
ステップＳ４において、モータに過負荷がかかっていると判断した場合、即ち、トレイ
１が障害物Ｇ１〜Ｇ３に接触して前進ａを阻害されている場合には、ステップＳ７に移行
し、モータを逆転駆動してトレイ１を後進ｂさせ、ステップＳ８に移行し、トレイ１が最
後進ｂしたか否かを判断し、最後進ｂしていない場合には、ステップＳ７に戻って前記動
作を繰り返し、トレイ１が最後進ｂしてケーシング２内に収納されたと判断したときには
、ステップＳ６に移行して、モータの正転駆動を停止させる。なお、本発明に関連する技
術として特許文献１に記載したものがある。
【特許文献１】特許第３６７５７８４号公報
【発明の開示】
【発明が解決しようとする課題】
【０００７】
上記従来の構成では、図７（ｂ）に示すように、トレイ１を前進ａさせている途中で、
該トレイ１の前面パネル１Ａが障害物Ｇ１〜Ｇ３に接触して、そのトレイ１の前進ａが阻
害された場合、モータに過負荷がかかっているか否かを判断し、その判断に基づいてモー
タを逆転駆動してトレイ１を後進ｂさせることにより、そのトレイ１を障害物Ｇ１〜Ｇ３
から離間させ、モータの焼損を防ぐようになっているが、これでは、障害物Ｇ１〜Ｇ３に
トレイ１が接触してから離間するまでに比較的時間がかかり、その間はモータに過負荷が
かかり続けるから、その過負荷によりモータの寿命が短くなったり該モータに接続した連
動機構に故障が生じやすい。
【０００８】
また、トレイ１を最前進ａさせた状態では、該トレイ１の下側にエジェクトスイッチ３
が隠れるため、そのエジェクトスイッチ３の押圧操作が面倒であるという欠点もある。
【０００９】
本発明は、上記従来の欠点に鑑み、操作が容易で前進途中のトレイが障害物に接触した
ときに直ちにそのトレイを後進させるようにしたディスク装置を提供すること目的として
いる。
【課題を解決するための手段】
【００１０】
上記目的を達成するため、請求項１に記載の発明は、ディスク載置用トレイがケーシン
グ内に前後進可能に配置されており、該ケーシング内のモータを正逆回転駆動することに
よりトレイをケーシングの前面開口部を通って前後進させるようにしたディスク装置にお
いて、前記トレイの前面パネルがトレイ本体から分離され、該前面パネルの後面両端近傍
に左右一対のアームが突設されると共に、該各アームの端面に切れ目を入れることにより
該切れ目を間に挟んで一対の弾性変位可能なアーム片が切り残され、該両アーム片を互い
に接近させて縮径させた各アームが前記トレイ本体の前板部の挿通孔に前後進方向に沿っ
て移動可能に挿通され、その各アームの端面に対向してトレイ本体に支持板が一体突設さ
れ、前記各アームと支持板との間にコイルばねが介在され、そのコイルばねに抗して各ア
ームが各挿通孔から抜けるのを阻止するストッパが各アーム片の外周面に一体突設され、
前記トレイ本体と前面パネルとの間に該前面パネルの後退を検知する前面スイッチが設け
られており、前記トレイをケーシング内に収納している状態で前面パネルをコイルばねに
抗して押すことにより前面スイッチをオン状態とし、そのオン信号に基づいてモータを正
転駆動することによりトレイを前進させ、その前進途中で前面パネルを介して前面スイッ
チがオン状態にされたときに、モータを逆転駆動してトレイを後進させるようにしたこと
を特徴としている。
【００１１】
請求項２に記載の発明は、ディスク載置用トレイがケーシング内に前後進可能に配置さ
れており、該ケーシング内のモータを正逆回転駆動することによりトレイをケーシングの
前面開口部を通って前後進させるようにしたディスク装置において、前記トレイの前面パ
ネルがトレイ本体から分離され、該前面パネルの後面両端近傍に左右一対のアームが突設
されると共に、該各アームの端面に切れ目を入れることにより該切れ目を間に挟んで一対
の弾性変位可能なアーム片が切り残され、該両アーム片を互いに接近させて縮径させた各
アームが前記トレイ本体の前板部の挿通孔に前後進方向に沿って移動可能に挿通され、そ
の各アームの端面に対向してトレイ本体に支持板が一体突設され、前記各アームの一方の
アーム片に一体突設され先端を前記支持板に当接させた弾性変位可能な弾性片が設けられ
、各アームが各挿通孔から抜けるのを阻止するストッパが各アーム片の外周面に一体突設
され、前記トレイ本体と前面パネルとの間に該前面パネルの後退を検知する前面スイッチ
が設けられており、前記トレイをケーシング内に収納している状態で前面パネルを弾性片
に抗して押すことにより前面スイッチをオン状態とし、そのオン信号に基づいてモータを
正転駆動することによりトレイを前進させ、その前進途中で前面パネルを介して前面スイ
ッチがオン状態にされたときに、モータを逆転駆動してトレイを後進させるようにしたこ
とを特徴としている。
【００１２】
請求項３に記載の発明は、ディスク載置用トレイがケーシング内に前後進可能に配置さ
れており、該ケーシング内のモータを正逆回転駆動することによりトレイをケーシングの
前面開口部を通って前後進させるようにしたディスク装置において、前記トレイの前面パ
ネルがトレイ本体から分離され、該前面パネルの後面両端近傍に左右一対のアームが突設
されると共に、該各アームの端面に切れ目を入れることにより該切れ目を間に挟んで一対
の弾性変位可能なアーム片が切り残され、該両アーム片を互いに接近させて縮径させた各
アームが前記トレイ本体の前板部の挿通孔に前後進方向に沿って移動可能に挿通され、そ
の各アームの端面に対向してトレイ本体に支持板が一体突設され、前記各アームの一方の
アーム片に一体突設され先端を前記支持板に当接させた弾性変位可能な弾性片が設けられ
、各アームが各挿通孔から抜けるのを阻止するストッパが各アーム片の外周面に一体突設
され、前記トレイ本体と前面パネルとの間に設けられて該前面パネルの後退を検知する前
面スイッチが押釦スイッチからなり、その押釦部が同心状に一体形成した大径部と小径部
とを有し、該小径部に対向して前面パネルにその小径部よりも若干大径の釦孔が貫設され
、スイッチ本体をトレイ本体に固定すると共に、小径部を前面パネルの釦孔に挿通してそ
の前面パネルの後面に大径部の端面を当接または接近させ、小径部の先端を前面パネルよ
りも前方に突出させており、前記トレイをケーシング内に収納している状態で前面パネル
を弾性片に抗して押すことにより前面スイッチをオン状態とし、そのオン信号に基づいて
モータを正転駆動することによりトレイを前進させ、その前進途中で前面パネルを介して
前面スイッチがオン状態にされたときに、モータを逆転駆動してトレイを後進させるよう
にしたことを特徴としている。
【００１３】
請求項４に記載の発明は、ディスク載置用トレイがケーシング内に前後進可能に配置さ
れており、該ケーシング内のモータを正逆回転駆動することによりトレイをケーシングの
前面開口部を通って前後進させるようにしたディスク装置において、前記トレイの前面パ
ネルがトレイ本体から分離されると共に、該前面パネルがトレイ本体の前板部に前後進方
向に沿って一定範囲内移動可能に係止され、その前面パネルを前進側に付勢する付勢手段
が設けられ、前記トレイ本体と前面パネルとの間に該前面パネルの後退を検知する前面ス
イッチが設けられており、前記トレイをケーシング内に収納している状態で前面パネルを
付勢手段に抗して押すことにより前面スイッチをオン状態とし、そのオン信号に基づいて
モータを正転駆動することによりトレイを前進させ、その前進途中で前面パネルを介して
前面スイッチがオン状態にされたときに、モータを逆転駆動してトレイを後進させるよう
にしたことを特徴としている。
【００１４】
請求項５に記載の発明は、請求項４に記載の発明において、前記前面パネルの後面両端
近傍に左右一対のアームが突設されると共に、該各アームの端面に切れ目を入れることに
より該切れ目を間に挟んで一対の弾性変位可能なアーム片が切り残され、該両アーム片を
互いに接近させて縮径させた各アームが前記トレイ本体の前板部の挿通孔に挿通され、そ
の各アームの端面に対向してトレイ本体に支持板が一体突設され、前記各アームと支持板
との間に前記付勢手段としてコイルばねが介在され、そのコイルばねに抗して各アームが
各挿通孔から抜けるのを阻止するストッパが前記各アーム片の外周面に一体突設されてい
ることを特徴としている。
【００１５】
請求項６に記載の発明は、請求項４に記載の発明において、前記前面パネルの後面両端
近傍に左右一対のアームが突設されると共に、該各アームの端面に切れ目を入れることに
より該切れ目を間に挟んで一対の弾性変位可能なアーム片が切り残され、該両アーム片を
互いに接近させて縮径させた各アームが前記トレイ本体の前板部の挿通孔に挿通され、そ
の各アームの端面に対向してトレイ本体に支持板が一体突設され、前記付勢手段が前記各
アームの一方のアーム片に一体突設され先端を前記支持板に当接させた弾性変位可能な弾
性片からなり、前記各アームが各挿通孔から抜けるのを阻止するストッパが前記各アーム
片の外周面に一体突設されていることを特徴としている。
【００１６】
請求項７に記載の発明は、請求項４〜６のいずれかに記載の発明において、前記前面ス
イッチが押釦スイッチからなり、その押釦部が同心状に一体形成した大径部と小径部とを
有し、該小径部に対向して前面パネルにその小径部よりも若干大径の釦孔が貫設されてお
り、スイッチ本体をトレイ本体に固定すると共に、小径部を前面パネルの釦孔に挿通して
その前面パネルの後面に大径部の端面を当接または接近させ、小径部の先端を前面パネル
よりも前方に突出させていることを特徴としている。
【発明の効果】
【００１７】
請求項１に記載の発明は第１の実施の形態（図１〜図４参照）に対応するものであって
、これによれば、前面パネルから後方に突出する左右一対のストッパ付きアームを縮径さ
せた状態でトレイ本体の前板部の各挿通孔に挿通し、その縮径状態を解消するだけで、各
アームを介して前面パネルをトレイ本体の前板部に前後進方向に沿って一定範囲内移動可
能に係止することができる。
【００１８】
また、コイルばねで各アームを介して前面パネルを前方に押し出すことにより、該前面
パネルとトレイ本体との間に設けた前面スイッチが不測にオン状態にならないようにする
ことができると共に、そのコイルばねに抗して前面パネルを押すだけで、前面スイッチを
確実にオン状態にすることができる。
【００１９】
更に、従来のエジェクトスイッチを省略することができると共に、その前面パネルの横
幅が広くて大きいから、その押圧操作を従来のエジェクトスイッチに比べて容易に行うこ
とができる。
【００２０】
しかも、トレイを前進させている途中で、該トレイの前面パネルが障害物に接触して、
そのトレイの前進が阻害された場合、前面パネルを介して前面スイッチがオン状態にされ
、そのオン信号に基づいてモータを逆転駆動することにより、トレイを障害物から直ちに
離間させることができ、この場合、モータに従来のように過負荷がかからないから、該モ
ータの寿命を大幅に延ばすことができると共に、そのモータに接続した連動機構に過負荷
に伴う故障が生じないようにすることができる。
【００２１】
請求項２に記載の発明は第２の実施の形態（図５参照）に対応するものであって、これ
によれば、請求項１に記載の発明とほぼ同じ効果を得ることができ、特に、前面パネルを
前方に押し出した状態を保持するための付勢手段として用いた弾性片が各アームの一方の
アーム片に一体突設されており、その付勢手段として部品点数が増加していないから、製
作費が安くつく。
【００２２】
請求項３に記載の発明は第３の実施の形態（図６参照）に対応するものであって、これ
によれば、請求項１及び２に記載の発明とほぼ同じ効果を得ることができ、特に、前面パ
ネルを押すことにより大径部を介して前面スイッチをオン状態にすることができると共に
、前面パネルより前方に突出する小径部を押すことにより，前面パネルを介さずに従来の
エジェクトスイッチと同じように前面スイッチを直接的にオン状態にすることができ、二
通りに使い分けできるので、使い勝手がよい。
【００２３】
請求項４に記載の発明は基本形態に対応するものであって、これによれば、トレイの前
面パネルを押して前面スイッチをオン状態にすることにより、該トレイを前後進させるよ
うになっているから、従来のエジェクトスイッチを省略することができると共に、その前
面パネルの横幅が広くて大きいから、その押圧操作を従来のエジェクトスイッチに比べて
容易に行うことができる。
【００２４】
また、トレイを前進させている途中で、該トレイの前面パネルが障害物に接触して、そ
のトレイの前進が阻害された場合、前面パネルを介して前面スイッチがオン状態にされ、
そのオン信号に基づいてモータを逆転駆動することにより、トレイを障害物から直ちに離
間させることができ、この場合、モータに従来のように過負荷がかからないから、該モー
タの寿命を大幅に延ばすことができると共に、そのモータに接続した連動機構に過負荷に
伴う故障が生じないようにすることができる。
【００２５】
請求項５に記載の発明によれば、前面パネルから後方に突出する左右一対のストッパ付
きアームを縮径させた状態でトレイ本体の前板部の各挿通孔に挿通し、その縮径状態を解
消するだけで、各アームを介して前面パネルをトレイ本体の前板部に前後進方向に沿って
一定範囲内移動可能に係止することができる。
【００２６】
また、コイルばねで各アームを介して前面パネルを前方に押し出すことにより、該前面
パネルとトレイ本体との間に設けた前面スイッチが不測にオン状態にならないようにする
ことができると共に、そのコイルばねに抗して前面パネルを押すだけで、前面スイッチを
確実にオン状態にすることができる。
【００２７】
請求項６に記載の発明によれば、請求項５に記載の発明とほぼ同じ効果を得ることがで
き、特に、前面パネルを前方に押し出した状態を保持するための付勢手段として用いた弾
性片が各アームの一方のアーム片に一体突設されており、その付勢手段として部品点数が
増加していないから、製作費が安くつく。
【００２８】
請求項７に記載の発明によれば、前面スイッチが押釦スイッチからなり、その押釦部の
小径部を前面パネルの釦孔に挿通してその前面パネルの後面に押釦部の大径部の端面を当
接または接近させているから、前面パネルを押すことにより大径部を介して前面スイッチ
をオン状態にすることができると共に、前面パネルより前方に突出する小径部を押すこと
により，前面パネルを介さずに前面スイッチを直接的にオン状態にすることができ、二通
りに使い分けることができるので、使い勝手がよい。
【発明を実施するための最良の形態】
【００２９】
図１〜図４は本発明の第１の実施の形態であるＤＶＤレコーダを示すものであって、図
１（ａ）はＤＶＤレコーダの斜視図、図１（ｂ）は同平面図、図２（ａ）は要部の拡大水
平断面図、図２（ｂ）はＡ−Ａ矢視図、図２（ｃ）はＣ−Ｃ矢視図、図２（ｄ）はＢ−Ｂ
矢視図、図２（ｅ）はＤ−Ｄ矢視図、図３は要部の分解斜視図、図４は同エジェクトモー
ドにおける制御部の制御を説明する流れ図である。
【００３０】
図１に示すように、トレイ１の前面パネル１Ａがトレイ本体１Ｂから分離され、アーム
機構５を介して前面パネル１Ａがトレイ本体１Ｂの前板部１ａに前後進ａ，ｂ方向に沿っ
て一定範囲内移動可能に係止され、その前面パネル１Ａを前進ａ側に付勢する左右一対の
コイルばね（付勢手段）６が設けられ、その各コイルばね６に抗して前面パネル１Ａの後
退を検知する前面スイッチ７がトレイ本体１Ｂと前面パネル１Ａとの間に設けられている
。上記以外の構成は図７に示す構成とほぼ同じであるから、同じ部分に同一符号を付して
その説明を省略する。
【００３１】
図２（ａ）〜（ｃ）及び図３に示すように、前記アーム機構５は、前面パネル１Ａの後
面両端近傍に突設した左右一対のアーム５Ａを有し、該各アーム５Ａの端面に切れ目８を
入れることにより該切れ目８を間に挟んで一対の弾性変位可能なアーム片５ａ，５ｂが切
り残され、該各アーム片５ａ，５ｂの外周面にストッパ９が一体突設され、その各アーム
５Ａに対向してトレイ本体１Ｂの前板部１ａに挿通孔１０が貫設されており、前記両アー
ム片５ａ，５ｂを互いに接近させて各アーム５Ａを縮径させ、その縮径状態の各アーム５
Ａを各挿通孔１０に挿通することにより、各ストッパ９も各挿通孔１０に挿通し、その縮
径状態を解消することにより、各ストッパ９を前板部１ａの後面に係合させ、これによっ
て、前面パネル１Ａがトレイ本体１Ｂの前板部１ａに前後進ａ，ｂ方向に沿って一定範囲
内移動可能に係止されている。
【００３２】
図２（ａ）〜（ｃ）及び図３に示すように、各アーム５Ａの端面に対向してトレイ本体
１Ｂに支持板１１が一体突設され、該支持板１１の前面に各アーム５Ａに対向して該各ア
ーム５Ａとほぼ同径の位置決め突起部１１ａが一体突設されており、各アーム５Ａの先端
部と各位置決め突起部１１ａとにコイルばね６を係合させことにより、各アーム５Ａを介
して前面パネル１Ａを前進ａ側に付勢し、その前面パネル１Ａとトレイ本体１Ｂとの間に
例えば１〜２ｍｍ程度の隙間αが形成されている。なお、図３中、１２はトレイ本体１Ｂ
の上面に貫設した開口部、１３はトレイ本体１Ｂの下面に一体突設されてコイルばね６を
支持するばね支持片である。
【００３３】
図２（ａ）（ｄ）（ｅ）及び図３に示すように、前記前面スイッチ７は、マイクロスイ
ッチからなり、スイッチ本体７Ａをトレイ本体１Ｂの前板部１ａの中央に貫設した収納凹
部１５に嵌め込むと共に、感知レバー７Ｂを前面パネル１Ａの後面に接触させており、前
面パネル１Ａを押ことにより、感知レバー７Ｂが押されて前面スイッチ７がオン状態にさ
れる。
【００３４】
図４に基づいてエジェクトモードにおける制御部の制御を説明すると、トレイ１をケー
シング２内に収納している状態で、ステップＳ１に示すように、前面パネル１Ａを押すこ
とにより前面スイッチ７をオン状態にすると、ステップＳ２に移行し、モータを正転駆動
させてトレイ１を前進ａさせ（ステップＳ３）、そのトレイ１の前進ａ途中で、図１（ｂ
）に示すように、トレイ１の前面パネル１Ａが例えば障害物Ｇ１〜Ｇ３に接触して、該ト
レイ１の前進ａが阻害されると、前面パネル１Ａを介して前面スイッチ７がオン状態にさ
れる。そこで、ステップＳ４において、前面スイッチ７がオンされたか否かを判断し、オ
ンにされていない場合には、トレイ１が正常に前進ａしているので、ステップＳ５に移行
し、トレイ１が最前進ａしたか否かを判断し、最前進ａしていない場合には、ステップＳ
２に戻って前記動作を繰り返し、トレイ１が最前進ａされたと判断した場合には、ステッ
プＳ６に移行して、モータの正転駆動を停止させる。その後、トレイ１上のディスクＤを
取り出したり新たなディスクＤをトレイ１上に載置し、エジェクトスイッチ３を押すと、
上記とは逆の手順でトレイ１が後進ｂしてケーシング２内に収納される。
【００３５】
ステップＳ４において、前面スイッチ７がオンされた場合、即ち、トレイ１が障害物Ｇ
１〜Ｇ３に接触して前進ａを阻害されている場合には、ステップＳ７に移行し、モータを
逆転駆動してトレイ１を後進ｂさせ、ステップＳ８に移行し、トレイ１が最後進ｂしたか
否かを判断し、最後進ｂしていない場合には、ステップＳ７に戻って前記動作を繰り返し
、トレイ１が最後進ｂしてケーシング２内に収納されたと判断したときには、ステップＳ
６に移行して、モータの正転駆動を停止させる。
【００３６】
上記構成によれば、前面パネル１Ａから後方に突出する左右一対のストッパ９付きアー
ム５Ａを縮径させた状態でトレイ本体１Ｂの各挿通孔１０に挿通し、その縮径状態を解消
するだけで、各アーム５Ａを介して前面パネル１Ａをトレイ本体１Ｂの前板部１ａに前後
進ａ，ｂ方向に沿って一定範囲内移動可能に係止することができる。
【００３７】
また、コイルばね６で各アーム５Ａを介して前面パネル１Ａを前方ａに押し出すことに
より、該前面パネル１Ａとトレイ本体１Ｂとの間に設けた前面スイッチ７が不測にオン状
態にならないようにすることができると共に、そのコイルばね６に抗して前面パネル１Ａ
を押すだけで、前面スイッチ７を確実にオン状態にすることができる。
【００３８】
更に、従来のエジェクトスイッチ３〔図７（ａ）参照〕を省略することができると共に
、前面パネル１Ａの横幅が広くて大きいから、その押圧操作を従来のエジェクトスイッチ
３に比べて容易に行うことができる。
【００３９】
しかも、トレイ１を前進ａさせている途中で、該トレイ１の前面パネル１Ａが障害物Ｇ
１〜Ｇ３に接触して、そのトレイ１の前進ａが阻害された場合、前面パネル１Ａを介して
前面スイッチ７がオン状態にされ、そのオン信号に基づいてモータを逆転駆動することに
より、トレイ１を障害物Ｇ１〜Ｇ３から直ちに離間させることができ、この場合、モータ
に従来のように過負荷がかからないから、該モータの寿命を大幅に延ばすことができると
共に、そのモータに接続した連動機構に過負荷に伴う故障が生じないようにすることがで
きる。
【００４０】
図５は本発明の第２の実施の形態であるＤＶＤレコーダを示すものであって、図５（ａ
）はＤＶＤレコーダの要部の拡大水平断面図、図５（ｂ）は要部の斜視図であり、付勢手
段として、各アーム５Ａの一方のアーム片５ａに一体突設され先端を支持板１１に当接さ
せた弾性変位可能な平面視略Ｊ字状弾性片５Ｂが用いられている、上記以外の構成は図１
〜図４に示す第１の実施の形態とほぼ同じであるから、同一部分に同一符号を付してその
説明を省略する。
【００４１】
上記構成によれば、図１〜図４に示す第１の実施の形態とほぼ同じ効果を得ることがで
き、特に、前面パネル１Ａを前方ａに押し出した状態を保持するための付勢手段として、
コイルばね６〔図２（ａ）参照〕に代えて、弾性片５Ｂが各アーム５Ａの一方のアーム片
５ａに一体突設されており、その付勢手段として部品点数が増加していないから、製作費
が安くつく。
【００４２】
図６は本発明の第３の実施の形態であるＤＶＤレコーダを示すものであって、図６（ａ
）はＤＶＤレコーダの要部の拡大水平断面図、図６（ｂ）はＥ−Ｅ矢視図であって、前面
スイッチ７が押釦スイッチからなり、その押釦部７Ｄが同心状に一体形成した大径部７ａ
と小径部７ｂとを有し、該小径部７ｂに対向して前面パネル１Ａにその小径部７ｂよりも
若干大径の釦孔１６が貫設されており、スイッチ本体７Ｃをトレイ本体１Ｂの収納凹部１
５に嵌め込み、小径部７ｂを釦孔１６に挿通すると共に、大径部７ａの端面を前面パネル
１Ａの後面に当接または接近させ、小径部７ｂの先端を前面パネル１Ａよりも例えば１〜
２ｍｍ程度の間隔β分だけ前方に突出させている。上記以外の構成は図５に示す第２の実
施の形態とほぼ同じであるから、同一部分に同一符号を付してその説明を省略する。
【００４３】
上記構成によれば、第１の実施の形態（図１〜図４参照）及び第２の実施の形態（図５
参照）とほぼ同じ効果を得ることができ、特に、前面パネル１Ａを押すことにより大径部
７ａを介して前面スイッチ７をオン状態にすることができ、また、前面パネル１Ａより前
方に突出する小径部７ｂを押すことにより，前面パネル１Ａを介さずにエジェクトスイッ
チ３〔図７（ａ）参照〕）と同じように前面スイッチ７を直接的にオン状態にすることが
でき、二通りに使い分けることができるので、使い勝手がよい。
【産業上の利用可能性】
【００４４】
上記の各実施の形態では、ＤＶＤレコーダを例にあげて説明したが、これに限定される
わけではなく、例えばＤＶＤプレーヤなどの各種のディスク装置に適用される。
【図面の簡単な説明】
【００４５】
【図１】（ａ）は本発明の第１の実施の形態であるＤＶＤレコーダの斜視図、（ｂ）は同平面図である。
【図２】（ａ）は要部の拡大水平断面図、（ｂ）はＡ−Ａ矢視図、（ｃ）はＣ−Ｃ矢視図、（ｄ）はＢ−Ｂ矢視図、（ｅ）はＤ−Ｄ矢視図である。
【図３】要部の分解斜視図である。
【図４】同エジェクトモードにおける制御部の制御を説明する流れ図である。
【図５】（ａ）は本発明の第２の実施の形態であるＤＶＤレコーダの要部の拡大水平断面図、（ｂ）は要部の斜視図である。
【図６】（ａ）は本発明の第３の実施の形態であるＤＶＤレコーダの要部の拡大水平断面図、図６（ｂ）はＥ−Ｅ矢視図である。
【図７】（ａ）は従来例の斜視図、（ｂ）は同平面図である。
【図８】同エジェクトモードにおける制御部の制御を説明する流れ図である。
【符号の説明】
【００４６】
１            トレイ
１Ａ          トレイの前面パネル
１Ｂ          トレイ本体
１ａ          トレイ本体の前板部
２            ケーシング
２ａ          ケーシングの前面開口部
５Ａ          アーム
５ａ，５ｂ    アーム片
５Ｂ          弾性片（付勢手段）
６            コイルばね（付勢手段）
７            前面スイッチ
７Ａ，７Ｃ    スイッチ本体
７Ｄ          押釦部
７ａ          大径部
７ｂ          小径部
８            切れ目
９            ストッパ
１０          挿通孔
１１          支持板
１６          釦孔
【図１】
2008084365.tif 000003
【図２】
2008084365.tif 000004
【図３】
2008084365.tif 000005
【図４】
2008084365.tif 000006
【図５】
2008084365.tif 000007
【図６】
2008084365.tif 000008
【図７】
2008084365.tif 000009
【図８】
2008084365.tif 000010